(57)【特許請求の範囲】
【請求項１】
垂直状態から時計回り又は反時計回りに回転して水平状態にすることで施錠するドア施錠金具のサムターンに取り付けて使用するドア施錠確認装置であって、
外箱体の外面に前記サムターンに取り付ける接合部を設け、
前記外箱体の内部に、回転軸穴を中心に回動するシーソー部品と、該シーソー部品に装着され、電気的に接続したＬＥＤ、電池及び傾斜スイッチを上面に固定した配線基板とを設け、
前記サムターンの前記時計回り及び反時計回りのいずれの回転方向においても、該回転に連動して、前記傾斜スイッチのオンオフ状態が切り換わり、前記ＬＥＤを点灯又は消燈することを特徴とするドア施錠確認装置。
【請求項２】
前記サムターンが前記垂直状態においては、前記電池の重量によって、前記シーソー部品は前記回転軸穴を中心に前記電池側に傾いていることを特徴とする請求項１に記載のドア施錠確認装置。
【請求項３】
前記傾斜スイッチは短絡用の球体を備え、前記配線基板に対し垂直方向を向くように配置したことを特徴とする請求項１又は２に記載のドア施錠確認装置。
【発明の詳細な説明】
【技術分野】
【０００１】
本発明は、建築物に於けるドア施錠確認装置に関する。
【背景技術】
【０００２】
ドア施錠が為されているか否かの確認は、部屋内側においては、扉に備えられた錠前のサムターンの羽が横向きか、縦向きかを目視で行っている。従って、夜間とか暗がりで確認するときには、電灯をつけなければならないなど手間がかかる。一方、住居などでは、鍵の掛け忘れなどで、施錠なしで夜間を過ごすことは危険である。ところが、鍵の掛け忘れなどを、簡単に気付ける備えをしているところは少ない。
【０００３】
例えば、特許文献１は、デッドボルトの動きを扉外側からキーにより操作するシリンダー部と、デッドボルトの動きを扉内側から操作するサムターン部と、キーに備えられたマグネットと、シリンダー部にキーが挿入され、キーに備えられたマグネットが近接したときにこれを検知するキー用磁気センサと、施錠解錠状態を点灯表示する発光素子とを具備し、マグネットが磁気センサに近接するか離隔するかに応じて、発光素子の点灯表示状態を変化させて施錠解錠状態を扉外側から視認可能とすることにより、扉の錠前の施解錠を外側から目視確認でき、扉の施錠忘れを防止できる扉の施錠解錠装置を開示している。
【０００４】
しかし、この先行技術の場合、マグネットを組み込んだ特殊なキーを用い、マグネットが磁気センサに近接するか離隔するかに応じて、発光素子の点灯表示状態を変化させて施錠解錠状態を扉外側から視認可能にしたものであり、複雑な構造とならざるを得ない。
【先行技術文献】
【特許文献】
【０００５】
【特許文献１】特開２００８−２６１１３８号公報
【発明の概要】
【発明が解決しようとする課題】
【０００６】
本発明の課題は、カギの掛け忘れなどを簡単に気付ける構造を有するドア施錠確認装置を提供することである。
【０００７】
本発明のもう一つの課題は、発光ダイオード（ＬＥＤ）を用いて施錠又は解錠を表示することにより、夜間や、暗がりでも、電灯を点灯させることなく、施錠状態を確実に確認し得るドア施錠確認装置を提供することである。
【０００８】
本発明の更にもう一つの課題は、ＬＥＤを確実に点灯又は滅灯させ得るドア施錠確認装置を提供することである。
【０００９】
本発明の更にもう一つの課題は、既存の建物に取り付けられている錠を活かしながら、これに付加し得るドア施錠確認装置を提供することである。
【課題を解決するための手段】
【００１０】
上述した課題を解決するための本発明に係るドア施錠確認装置は、垂直状態から時計回り又は反時計回りに回転して水平状態にすることで施錠するドア施錠金具のサムターンに取り付けて使用するドア施錠確認装置であって、外箱体の外面に前記サムターンに取り付ける接合部を設け、前記外箱体の内部に、回転軸穴を中心に回動するシーソー部品と、該シーソー部品に装着され、電気的に接続したＬＥＤ、電池及び傾斜スイッチを上面に固定した配線基板とを設け、前記サムターンの前記時計回り及び反時計回りのいずれの回転方向においても、該回転に連動して、前記傾斜スイッチのオンオフ状態が切り換わり、前記ＬＥＤを点灯又は消燈することを特徴とする。
【００１１】
ところで、ドア用の施錠金具に設けられている、施錠、解錠の作動用のサムターンは、垂直状態と水平状態間での移動であり、且、垂直状態と水平状態で止まるようになっている。
【００１２】
一方、傾斜スイッチは、水平状態の位置では、オンオフ機能が不安定である。即ち、サムターンが水平状態に停まっている時は、傾斜スイッチも水平状態に留まり、傾斜スイッチ内の短絡用の球体の位置が定まらず、オンオフ機能が不安定になる。
【００１３】
そこで、シーソー部品を用い、傾斜スイッチを、ケース本体内部でシーソー移動可能状態に設置し、傾斜スイッチが水平状態の位置には停止しないようにする。即ち、傾斜スイッチは、ケース本体内部で、シーソー部品により、水平の位置から約２０度前後傾いた状態で停止する。シーソー部品を傾ける作用は、重力の作用に依拠することができる。
【００１４】
上記のように、傾斜スイッチを外箱内部でシーソー移動可能状態に設置することにより、傾斜スイッチが水平状態に停まらないようにすることができる。この方式により、オンオフ機能が確実に発揮され、誤作動が防止される。
【００１５】
また、シーソー部品の長手方向の向きは、サムターンの長手方向の向きと直交するように設定する。これは、通常、サムターンが縦方向を向いているときは解錠時であり、サムターンが横方向を向いているときは施錠時である。
【００１６】
ＬＥＤの点灯を、解錠時に合せた設定したことにより、シーソー部品とサムターンとは直交するように設定したのである。即ち、傾斜スイッチは、垂直方向で、シーソー部品の上方に設置し、傾斜スイッチは、その上端が上に向くように設定しているので、スイッチオンの状態になる。
【００１７】
ＬＥＤの点灯を、解錠時に合せるのは、施錠忘れを警告することに主眼を置いたからである。また、常時、施錠に気を配っている人は、解錠時間より施錠時間が長く、節電の効果があるからである。
【００１８】
一方、ＬＥＤの点灯を、施錠時に合せた設定をする場合には、シーソー部品の長手方向の向きを、サムターンの長手方向の向きと平行するように設定すればよい。
【００１９】
また、ドア施錠確認装置は、施錠金具のサムターンの回転方向が、左開き扉と右開き扉とで逆な場合でも、左開き扉と右開き扉とに共通して使用することができる。
【００２０】
また、ドア施錠確認装置は、ケース本体の外面に接合部を有している。接合部により既存の施錠金具のサムターンに、ドア施錠確認装置に設けた前記接合部のＶ字状溝を被せれば良く、簡単に取付ができる。また、より強固に固定する場合は、前記接合部のＶ字状溝に充填接着剤を塗布しておけばよい。
【００２１】
但し、前記接合部は取付け対象となる施錠金具の取付け部である、サムターンの形状に合わせた調整部品として複数種用意する必要はある。
【００２２】
この場合にドア施錠確認装置本体は共通とし、接合部のみ変更すればよい。この場合、多品種を経済的に、且より簡便に、より強固に接合することができる。
さらに、ドア施錠確認装置は既設された施錠金具に、施錠金具の機能を損なうことが無く、介して取り付けることができる。
【発明の効果】
【００２３】
以上述べたように、本発明によれば、次のような効果が得られる。
（ａ）カギの掛け忘れなどを簡単に気付ける構造を有するドア施錠確認装置を提供することができる。
（ｂ）ＬＥＤを用いて施錠又は解錠を表示することにより、夜間や、暗がりでも、電灯を点灯させることなく、施錠状態を確実に確認し得るドア施錠確認装置を提供することができる。
（ｃ）ＬＥＤを確実に点灯又は滅灯させ得るドア施錠確認装置を提供することができる。
（ｄ）既存の建物に取り付けられている錠を活かしながら、これに付加し得るドア施錠確認装置を提供することができる。
【図面の簡単な説明】
【００２４】
【図１】施錠金具にドア施錠確認装置をセットした状態図である。
【図２】ドア施錠確認装置を時計回りに９０度回転した図である。
【図３】本発明に係わるドア施錠確認装置の拡大正面図である。
【図４】図３の上側面図である。
【図５】ドア施錠確認装置５０から上蓋５２を除いた拡大正面図である。
【図６】図５のＡ―Ａ線断面図である。
【図７】図４のＢ―Ｂ線断面の拡大図である。
【図８】ドア施錠確認装置内部の水平時状態図である。
【図９】ドア施錠確認装置内部の時計回り移動の状態図である。
【図１０】ドア施錠確認装置内部の反時計回り移動の状態図である。
【図１１】図７のＣ―Ｃ線断面図で、接合部の断面を示す図である。
【図１２】施錠時点灯の場合のドア施錠確認装置の図である。
【発明を実施するための形態】
【００２５】
図１は、ドアの施錠金具にドア施錠確認装置をセットした状態図である。図１の鎖線図示は、ドア本体１００、サムターン１０１、デッドボルト１０２、ドアノブ１０３、軸心１０４である。ドア施錠確認装置５０は、接合部５６、装置本体６０、上蓋５２、照明窓５３、電池蓋５４、止めネジ５５を含む。
【００２６】
通常、施錠金具は、サムターン１０１が縦方向を向いている状態で、デッドボルト１０２は解錠、照明窓５３は点灯している。ドア施錠確認装置５０は、装置本体６０が、サムターン１０１の下方に位置し、且、水平方向で横長な装置本体６０が、垂直方向で縦長なサムターン１０１と直交する位置関係にある。この理由は後述する。
【００２７】
図２は、図１の状態から、ドア施錠確認装置５０、及び、サムターン１０１を時計回りに９０度回転した図である。符号５１は、ケース本体である。図２に於いて、デッドボルト１０２は施錠状態にあり、照明窓５３は消灯している。
【００２８】
図３は、ドア施錠確認装置５０の拡大正面図である。固定突起５７以外の参照記号は、図１の参照記号と同じである。図４は、図３の上側面図である。参照記号は、図１、図２、及び図３の参照記号と同じである。図５は、図３のドア施錠確認装置５０から上蓋５２を取り除いた拡大正面図である。ドア施錠確認装置５０は、シーソー部品１と、傾斜スイッチ２と、ＬＥＤ３と、電池５とを含む。電極板４、回転軸穴１１、傾斜スイッチ２の上面２１、ケース本体５１である。
【００２９】
ＬＥＤ３は、施錠時に点灯、若しくは、解錠時に点灯のいずれか一方に定めて置き、施錠を確認するための信号灯となる。
【００３０】
傾斜スイッチ２は、ＬＥＤ３と電池５の間に介在し、ＬＥＤ３の点滅を制御し、電池５はＬＥＤ３の電源である。傾斜スイッチ２と、ＬＥＤ３と、ボタン電池５とを用いることにより、ドア施錠確認装置５０をコンパクトに構成することができ、使用時もスペースを少なくすることができる。
【００３１】
図６は、図５のＡ―Ａ断面図である。上蓋５２は鎖線で補ってある。配線基板６は、シーソー部品１に設けられた押え突起１３の下を通し、シーソー部品１に装着され、装着した後、押え蓋１４で配線基板６が抜け戻るのを押えている。その他の添付符号は図５の場合と同じである。
【００３２】
図７は、図４のＢ―Ｂ断面の拡大図である。シーソー部品１に設けられた図５に示した回転軸穴１１に、上蓋５２に設けられた軸心５２１と、ケース本体５１に設けられた軸心５２１とがそれぞれ挿入されており、シーソー部品１は、上蓋５２とケース本体５１との間に回転可能に挟持されている。依って、シーソー部品１は、回転軸穴１１を中心としてシーソー作動ができる。
【００３３】
また先に述べたように、配線基板６は押え突起１３に押えられており、シーソー部品１から飛び出すことはない。傾斜スイッチ２と、ＬＥＤ３及び電極板４のそれぞれの端子２１，３１、及び４１が、配線基板６を貫通しており、プリント配線に溶接されている。符号１２はシーソー部品１に一体成形された回転軸穴１１の外周部である。その他の添付符号は図５の場合と同じである。
【００３４】
図８は、図１に於けるドア施錠確認装置５０内部の状態図である。シーソー部品１及び傾斜スイッチ２、ＬＥＤ３などの電装部品は、ボタン電池５の重量で回転軸穴１１を中心に時計回りに傾いている。傾斜スイッチ２は、傾斜しながらも上面２１が上を向き、スイッチオンの状態にある。同時に、ＬＥＤ３は、点灯する。
【００３５】
図９は、図２に於けるドア施錠確認装置５０内部の状態図である。シーソー部品１及び傾斜スイッチ２、ＬＥＤ３などの電装部品は、ボタン電池５の重量で回転軸穴１１を中心に右側に傾いている。傾斜スイッチ２は、傾斜しながら上面２１が斜め下を向き、スイッチオフの状態にある。同時に、ＬＥＤ３は、消灯する。この傾斜スイッチ２が、傾斜しながら上面２１を斜め下に向かせるのが、シーソー部品１の働きである。
【００３６】
ところで、ドア用の施錠金具に設けられている、施錠、解錠の作動用のサムターンは、垂直状態と水平状態間での移動であり、且、垂直状態と水平状態で止まるようになっている。
【００３７】
一方、傾斜スイッチ２は、シーソー部品１が無ければ、水平状態の位置に留まり、オンオフ機能が不安定である。即ち、サムターン１０１が水平状態に停まっている時は、傾斜スイッチ２も水平状態に留まって居たのでは、傾斜スイッチ内の短絡用の球体の位置が定まらず、オンオフ機能が不安定になる。
【００３８】
そこで、シーソー部品１を用い、傾斜スイッチ２を、ケース本体５１内部でシーソー移動可能状態に設置し、傾斜スイッチ２が水平状態の位置には停止しないようにする。即ち、傾斜スイッチ２は、ケース本体５１内部で、シーソー部品１により、水平の位置から約２０度前後傾いた状態で停止する。シーソー部品１を傾ける作用は、ボタン電池５に重力が加わって重さが生じたことによる。
【００３９】
上記のように、傾斜スイッチ１をケース本体５１内部でシーソー移動可能状態に設置することにより、傾斜スイッチ２が水平状態に停まらないようにすることができる。
この方式により、オンオフ機能が確実に発揮され、誤作動が防止される。
【００４０】
また、シーソー部品１の長手方向の向きは、サムターン１０１の長手方向の向きと直交するように設定してある。これは、通常、サムターンが縦方向を向いているときは解錠時であり、サムターンが横方向を向いているときは施錠時であることによる。
【００４１】
ＬＥＤ３の点灯を、解錠時に合せた設定にしたことにより、シーソー部品とサムターンとは直交するように設定したのである。即ち、傾斜スイッチ２は、垂直方向で、シーソー部品１の上方に設置し、傾斜スイッチ２は、その上端２１が上を向くように設定しているので、スイッチオンの状態になる。
【００４２】
ＬＥＤ３の点灯を、解錠時に合せるのは、施錠忘れを警告することに主眼を置いたからである。また、常時、施錠に気を配っている人は、解錠時間より施錠時間が長く、節電の効果があるからである。
【００４３】
一方、ＬＥＤ３の点灯を、施錠時に合せた設定をする場合には、シーソー部品１の長手方向の向きを、サムターン１０１の長手方向の向きと平行するように設定すればよい。
【００４４】
図１０は、ドア施錠確認装置５０を反時計回りに９０度回転した状態の図である。シーソー部品１及び傾斜スイッチ２、ＬＥＤ３などの電装部品は、ボタン電池５の重量で回転軸穴１１を中心に反時計回りに傾いている。傾斜スイッチ２は、傾斜しながら上面２１が斜め下を向き、スイッチオフの状態にある。同時に、ＬＥＤ３は、消灯する。従って、ドア施錠確認装置５０は、施錠金具のサムターンの回転方向が、左開き扉と右開き扉とで逆な場合でも、左開き扉と右開き扉とに共通して使用することができる。
【００４５】
図１１は、図７のＣ―Ｃ断面図である。即ち、接合部５６の断面図である。また、ドア施錠確認装置５０は、ケース本体５１の外面に接合部５６を有している。接合部５６により既存の施錠金具のサムターン１０１に、ドア施錠確認装置５０に設けた接合部５６のＶ字状溝５９を被せれば良く、簡単に取付けることができる。
【００４６】
また、より強固に固定する場合は、接合部５６のＶ字状溝５９に充填接着剤を塗布しておけばよい。但し、前記接合部５６は取付け対象となる施錠金具の取付け部である、サムターン１０１の形状に合わせた調整部品として複数種用意する必要はある。この場合に装置本体６０は共通とし、接合部５６のみ変更すればよい。この場合、多品種を経済的に、且より簡便に、より強固に接合することができる。
【００４８】
図１２は、施錠時点灯の場合のドア施錠確認装置７０の図である。ＬＥＤ３の点灯を、施錠時に合せた設定をする場合には、シーソー部品１の長手方向の向きを、サムターン１０１の長手方向の向きと平行するように設定すればよい。詳細説明は省くが、装置本体７０は、装置本体６０と同じものを使用し、接合部７６は接合部５６を９０度移動させればよい。
【００４９】
なお、当然のことであるが、ＬＥＤ３、電池５及び傾斜スイッチ２は、配線基板６の上面に固定され、上述した動作が確保できるように電気的に接続されている。
【符号の説明】
【００５０】
１      シーソー部品
１１      回転軸穴
１０１      サムターン
２      傾斜スイッチ
３      ＬＥＤ
４      電極板
５      ボタン電池
５０      ドア施錠確認装置
５１      ケース本体
５２      上蓋
５３      照明窓
６      配線基板
６０      装置本体
【要約】      （修正有）【課題】既存の建物の錠に取り付けることができ、カギの掛け忘れなどを夜間や暗がりでも簡単に気付くことができるドア施錠確認装置を提供する。【解決手段】ドア施錠確認装置は、ケース本体５１の内部に、シーソー部品１と、シーソー部品１の上方に設置した傾斜スイッチ２とＬＥＤ３と電池５とを含む。既存の施錠金具のサムターンにドア施錠確認装置の接合部を被せて取り付け、サムターンを回転させると、ドア施錠確認装置のシーソー部品１が反対側に傾き、傾斜スイッチ２が作動してＬＥＤ３が点灯または消灯するので施錠または解錠を簡単に確認できる。【選択図】図８【図１】
0005727078.tif 000002
【図２】
0005727078.tif 000003
【図３】
0005727078.tif 000004
【図４】
0005727078.tif 000005
【図５】
0005727078.tif 000006
【図６】
0005727078.tif 000007
【図７】
0005727078.tif 000008
【図８】
0005727078.tif 000009
【図９】
0005727078.tif 000010
【図１０】
0005727078.tif 000011
【図１１】
0005727078.tif 000012
【図１２】
0005727078.tif 000013